(57)【要約】  【課題】  分子量が大きな成分の構造解析など目的とした質量分析を行う際に、煩雑な手間を省きながら分析精度を高める。  【解決手段】  ＥＳＩのイオン化プローブ２により試料液滴を噴霧してイオン化を行うイオン化室１内に露出してＭＡＬＤＩ用のサンプルプレート３を設置し、該サンプルプレート３上の試料Ｓ２にレーザ光を照射するためのレーザ光源５及びミラー６を設ける。ＥＳＩ、ＭＡＬＤＩのいずれで生成されたイオンもイオン化室１と第１中間真空室９との差圧によって脱溶媒管８に吸引され後段に送られる。制御部２０は例えば短い周期でＥＳＩイオン源とＭＡＬＤＩイオン源とを交互に動作させることにより、同一の検体に由来する試料液Ｓ１と試料Ｓ２から、前者では主として多価イオンを、後者では主として１価イオンを生成して質量分析することができる。それによって、ほぼ同一の分析環境条件の下で幅広い質量数範囲のマススペクトルを作成することができる。【選択図】  図１
2006190526.tif 000002
【特許請求の範囲】
【請求項１】
a)ノズル先端部に達した液体試料に電荷を付与しつつ、該液体試料を略大気圧雰囲気にあるイオン化室内に噴霧することにより、該液体試料中の成分をイオン化するエレクトロスプレイイオン源、又はノズル先端部に達した液体試料を略大気圧雰囲気にあるイオン化室内に噴霧し、その前方に配置した電極のコロナ放電によって生成したバッファイオンと試料液滴との化学反応によって該試料中の成分をイオン化する大気圧化学イオン源である大気圧イオン源と、
b)前記イオン化室内に配置されたサンプルスライド上に設けられた試料に対してレーザを照射することで該試料中の分析対象成分をイオン化するＭＡＬＤＩイオン源と、
c)イオンを質量数に応じて分離する質量分析器とその分離されたイオンを検出する検出器とを含む質量分析部と、
d)前記大気圧イオン源により発生したイオンと前記ＭＡＬＤＩイオン源により発生したイオンとをいずれも収集して前記イオン化室から前記質量分析部に案内するイオン輸送部と、
を備えることを特徴とする質量分析装置。
【請求項２】
前記大気圧イオン源によるイオン化と前記ＭＡＬＤＩイオン源によるイオン化とを所定時間毎に切り替えて繰り返し実行するようにそれらイオン源及び前記質量分析器を制御する制御手段をさらに備えることを特徴とする請求項１に記載の質量分析装置。
【請求項３】
前記大気圧イオン源によるイオン化と前記ＭＡＬＤＩイオン源によるイオン化とを同時に実行するようにそれらイオン源及び前記質量分析器を制御する制御手段をさらに備えることを特徴とする請求項１に記載の質量分析装置。
【発明の詳細な説明】
【技術分野】
【０００１】
本発明は質量分析装置に関し、特に、バイオ、代謝関連、医薬品の品質管理などの分野においてゲノム創薬、薬物動態試験、環境中の微量成分の計測等に好適な質量分析装置に関する。
【背景技術】
【０００２】
液体試料や液体クロマトグラフにより分離された溶出液中の分析対象成分をイオン化して質量分析するために、従来より、大気圧イオン化インタフェイスが利用されている（例えば特許文献１など参照）。代表的な大気圧イオン化法としては、エレクトロスプレイイオン化法（ＥＳＩ）や大気圧化学イオン化法（ＡＰＣＩ）などが知られている。
【０００３】
ＥＳＩでは、液体試料を導入したノズルの先端部に数ｋＶ程度の高電圧を印加し、強い不平行電界を発生させる。液体試料はノズル中を流れる際にこの電界により電荷分離し、クーロン引力により引きちぎられるように霧化する。そして、周囲の乾燥空気に触れて液滴中の溶媒が蒸発する過程で気体イオンが発生する。他方、ＡＰＣＩでは、ノズルの先端の前方に針電極を配置しておき、ノズルにおいて加熱により霧化した液体試料の液滴に、針電極からのコロナ放電により生成したキャリアガスイオンを化学反応させてイオン化を行う。
【０００４】
一般に、こうした大気圧イオン化インタフェイスは四重極型質量分析装置やイオントラップ型質量分析装置と組み合わせて使用されることが多い。こうした大気圧イオン化インタフェイス（特にＥＳＩ）では、イオン化の過程で多価イオンが発生し易い。多価イオンはその価数に応じて元の分子量よりも質量数が小さくなるため、分析対象の質量数範囲を相対的に低い範囲に限定できるという利点はあるものの、蛋白質等の分子量の大きな試料を分析しようとすると様々な価数のイオンのピークがマススペクトルに現れるため、構造解析などのデータ解析処理が煩雑になるという問題がある。
【０００５】
一方、従来、蛋白質等の分子量の大きな試料を分析する場合には、ＭＡＬＤＩイオン源を用いた質量分析装置が広く使用されている。ＭＡＬＤＩイオン源は従来、真空中でイオン化を行うものが主流であったが、近年、大気圧中でイオン化を行う手法（ＡＰ−ＭＡＬＤＩ）も開発されている（非特許文献１参照）。こうしたＭＡＬＤＩイオン源、イオントラップ、ＴＯＦＭＳを組み合わせた装置では、ＭＡＬＤＩイオン源で発生したイオンをイオントラップにより多段階に開裂させ、それによって生じたイオンをＴＯＦＭＳで高感度で以て質量分析することができる。ＭＡＬＤＩイオン源では生成されるイオンの殆どが１価のイオンであるため、ＭＳn スペクトルは比較的単純でありＥＳＩに比べれば構造解析は容易である。しかしながら、上記のようなＡＰ−ＭＡＬＤＩイオン源では低質量数範囲ではイオンの生成量が十分ではなく、検出感度が上がらないという問題がある。
【０００６】
こうしたことから、試料の組成・構造解析をより容易に進める一つの手法として、ＥＳＩによるイオン化とＭＡＬＤＩによるイオン化とを併用することが考えられる。例えば非文献特許２には、ＥＳＩイオン源とＡＰ−ＭＡＬＤＩイオン源とを交換可能に備える質量分析装置が記載されている。しかしながら、こうしたイオン源の交換作業は煩雑であって手間や時間が掛かるのみならず、こうしたイオン源の交換作業を伴った分析ではその結果の信頼性を確保するのが困難な場合がある。即ち、イオン源の交換作業を行うには、一旦装置の電源を落とし、質量分析室等の真空状態を解除してイオン化室内を開放する必要がある。そのため、たとえ同一の検体に由来する試料を分析する場合でも、ＥＳＩイオン源を用いた分析を行う場合とＡＰ−ＭＡＬＤＩイオン源を用いた分析を行う場合とで各部の温度や真空状態などの分析環境条件が微妙に相違してしまうことが理由の一つである。また、蛋白質やペプチドなどの生体由来の試料では時間経過に伴う変性が生じ易く、イオン源の交換作業に要する時間によってそうした変性や変質が起きる可能性があることがもう一つの理由である。
【０００７】
【特許文献１】特開２００４−１８５８８６号公報
【非特許文献１】ビクトール・ブイ・ライコ(Victor V. Laiko)、ほか２名、「アトモスフェリック・プレッシャー・マトリクス−アシステッド・レーザー・デソープション／イオナイゼイション・マス・スペクトロメトリー(Atmospheric Pressure Matrix-Assisted Laser Desorption/Ionization Mass Spectrometry)」、アナリティカル・ケミストリー(Analytical Chemistry)、アメリカン・ケミカル・ソサイエティー(American Chemical Society)、２０００年２月１５日、第７２巻、第４号、ｐ．６５２−６５７
【非特許文献２】「アジレント最新ニュース  様々なアプリケーションに対応するイオン源」、[online]、アジレント・テクノロジー、[平成１６年１１月１２日検索]、インターネット ＜URL  :  http://www.chem.agilent.com/scripts/cItemLocal.asp?iKey=280&iType=1&CountryCode=JP＞
【発明の開示】
【発明が解決しようとする課題】
【０００８】
本発明は上記課題を解決するために成されたものであり、その主な目的は、ＥＳＩやＡＰＣＩなどの大気圧イオン化と大気圧下でのＭＡＬＤＩイオン化とをほぼ同一の分析環境条件の下で且つ時間的にもほぼ同時に実行できるようにすることにより、分析対象の試料に関する幅広い質量数範囲の情報を正確に収集し、組成分析や構造解析を高い信頼性を以て行うことができる質量分析装置を提供することにある。
【課題を解決するための手段】
【０００９】
上記課題を解決するために成された本発明に係る質量分析装置は、
a)ノズル先端部に達した液体試料に電荷を付与しつつ、該液体試料を略大気圧雰囲気にあるイオン化室内に噴霧することにより、該液体試料中の成分をイオン化するエレクトロスプレイイオン源、又はノズル先端部に達した液体試料を略大気圧雰囲気にあるイオン化室内に噴霧し、その前方に配置した電極のコロナ放電によって生成したバッファイオンと試料液滴との化学反応によって該試料中の成分をイオン化する大気圧化学イオン源である大気圧イオン源と、
b)前記イオン化室内に配置されたサンプルスライド上に設けられた試料に対してレーザを照射することで該試料中の分析対象成分をイオン化するＭＡＬＤＩイオン源と、
c)イオンを質量数に応じて分離する質量分析器とその分離されたイオンを検出する検出器とを含む質量分析部と、
d)前記大気圧イオン源により発生したイオンと前記ＭＡＬＤＩイオン源により発生したイオンとをいずれも収集して前記イオン化室から前記質量分析部に案内するイオン輸送部と、
を備えることを特徴としている。
【発明の効果】
【００１０】
本発明に係る質量分析装置では、大気圧イオン源とＭＡＬＤＩイオン源とが併設されており、両イオン源によりイオン化室内で発生したイオンは共通のイオン輸送部を介して質量分析部に送られる。ＭＡＬＤＩイオン源の試料は、例えば、分析したい液体試料とマトリクス溶液とを混合してサンプルスライドの凹部に滴下して乾燥させることにより調製することができる。また、液体試料が複数の成分を含む場合には、予め液体クロマトグラフにより成分分離した溶出液をフラクションコレクタ等により分取すればよい。こうした目的のために、例えば本出願人が特開２００４−１８４１４９号公報により提案しているような試料調製装置を利用することができる。一方、大気圧イオン化源に導入する試料としては、上記のように液体クロマトグラフ及びフラクションコレクタにより分取した溶出液を用いることもできるし、或いは液体クロマトグラフのカラム出口を大気圧イオン化源に直結して成分分離を行いながら分析することも可能である。
【００１１】
大気圧イオン化源（典型的にはＥＳＩイオン源）では１価イオンは少ないが多価イオンが容易に発生する一方、ＭＡＬＤＩイオン源では逆に多価イオンは少ないが１価イオンが多く発生する。即ち、両者は同一の試料に由来して生成されるイオンの種類について相補性を有しており、両者のイオン源による分析を同時に、交互に切り替えて、又は一方の分析に引き続いて他方の分析を実行することにより、幅広い質量数範囲の情報を収集することができる。
【００１２】
具体的な一態様として、前記大気圧イオン源によるイオン化と前記ＭＡＬＤＩイオン源によるイオン化とを所定時間毎に切り替えて繰り返し実行するようにそれらイオン源及び前記質量分析器を制御する制御手段をさらに備える構成とすることができる。この構成によれば、イオン化効率等の関係上、両者のイオン源によるイオン化を同時に行うことが難しい場合でも、両者の分析を実質的にほぼ同時に且つほぼ同一の分析環境条件の下で実行することが可能である。
【００１３】
また別の態様として、大気圧イオン源によるイオン化と前記ＭＡＬＤＩイオン源によるイオン化とを同時に実行するようにそれらイオン源及び前記質量分析器を制御する制御手段をさらに備える構成とすることもできる。この構成では、大気圧イオン源（典型的にはＥＳＩイオン源）により噴霧された帯電液滴がクーロン斥力によって分裂しつつ溶媒が蒸発する過程でイオンが生成されるのみならず、その帯電液滴にＭＡＬＤＩイオン源によるレーザが照射されることで溶媒の蒸発を促してイオンの生成を促進させることができる。
【００１４】
このように本発明に係る質量分析装置によれば、ＥＳＩ又はＡＰＣＩとＡＰ−ＭＡＬＤＩという異なる特性を持ったイオン化法を、同一の試料に対してほぼ同一の分析環境条件の下で適用することができるため、その試料に由来する各種イオンを幅広い質量数範囲で正確に取得することができる。したがって、この情報を元に組成分析や構造解析を行う際にその作業が容易になり精度も向上する。また、従来の装置のようにイオン源を交換する手間や時間が省けるため、分析作業の効率も改善される。
【発明を実施するための最良の形態】
【００１５】
以下、本発明に係る質量分析装置の一実施例を図面を参照して説明する。図１は本実施例の質量分析装置の概略構成図、図２はイオン化部の拡大図である。
【００１６】
本実施例の構成では、大気圧イオン化インタフェイスはＥＳＩインタフェイスであり、ほぼ大気圧雰囲気であるイオン化室１内にイオン化プローブ２の先端部が突設されている。イオン化プローブ２の先端部の前方には、イオンを後段に輸送するための脱溶媒管８の入口開口が設けられ、さらにその前方には気化しなかった溶媒を排出するドレイン７が配置されている。脱溶媒管８の入口開口の中心軸はイオン化プローブ２の先端からの噴霧の中心軸と斜交（ここではほぼ直交）しており、それによって溶媒が十分に気化していない大きな液滴が脱溶媒管８に飛び込むことを防止している。
【００１７】
一方、脱溶媒管８の入口開口の中心軸の延長上には、ＭＡＬＤＩ用のサンプルプレート３がステージ移動機構４によりその面の広がり方向に移動可能に設置されている。即ち、サンプルプレート３は大気圧雰囲気にあるイオン化室１内に露出している。そして、そのサンプルプレート３に対してレーザ光を照射するために、レーザ光源５及びミラー６を含むレーザ照射部が設けられている。
【００１８】
イオン化室１の後段には、それぞれ隔壁で隔てられた第１中間真空室９、第２中間真空室１２、及び質量分析室１４が設けられている。質量分析室１４内には質量分析器としての四重極質量フィルタ１５と検出器１６とが設けられ、第１及び第２中間真空室９、１２にはそれぞれ第１及び第２イオンレンズ１０、１３が配置されている。イオン化室１と第１中間真空室９との間は上述した脱溶媒管８を介して、第１中間真空室９と第２中間真空室１２との間は極小径の通過穴を頂部に有する円錐形状のスキマー１１を介してのみ連通している。
【００１９】
上述の如くイオン化室１内はほぼ大気圧雰囲気であり、第１中間真空室９内は約１０2[Pa]まで、第２中間真空室１２内は約１０-1〜１０-2[Pa]まで、質量分析室１４内は約１０-3〜１０-4[Pa]の高真空状態まで真空排気される。このようにイオン化室１、第１中間真空室９、第２中間真空室１２、質量分析室１４と、段階的に真空度を上げるような多段差動排気系の構成とすることにより、質量分析室１４内の高い真空度を維持している。
【００２０】
制御部２０は電圧源などを含み、本装置全体の動作の制御を司る機能を有する。また、データ処理部２１は検出器１６による検出データを受けて、所定のデータ処理を実行することにより質量スペクトルを作成し、またその質量スペクトルに基づいて定性分析、定量分析などを実行する。なお、通常、制御部２０、データ処理部２１などは、実際にはパーソナルコンピュータを中心に構成され、パーソナルコンピュータにイントールされた制御・処理プログラムにより具現化される。
【００２１】
上記構成における大気圧イオン化源とＭＡＬＤＩイオン源のそれぞれの動作を、図２を参照して説明する。
（１）ＥＳＩイオン源（図２（ａ）参照）
試料液Ｓ１を噴霧するイオン化プローブ２は、試料液が供給されるノズル２１と、ノズル２１と同軸であって外筒として取り囲むように配設されたネブライズガス管２２とを有し、ノズル２１自体又はその周囲に設けられた図示しない金属筒と脱溶媒管８の入口との間に、数ｋＶ程度の直流高電圧が印加される。この電圧による電場の影響で、ノズル２１を流れて来る試料液Ｓ１は片寄って帯電し、その状態でネブライズガス管２２から噴出するネブライズガスの助けを受けて微小液滴となって噴出する。
【００２２】
一方、脱溶媒管８と同軸であって外筒として取り囲むように配設された乾燥ガス管８１からは高温の乾燥ガスが噴出され、ノズル２１から噴霧された微小液滴はこの乾燥ガスに接触し、液滴中の移動相や溶媒が急速に蒸発し液滴のサイズは小さくなる。すると、帯電電荷のクーロン反発力によって液滴は一層細かく分裂し、その過程で試料分子に由来する気体イオンが発生する。ノズル２１は脱溶媒管８の入口開口の中心軸に対してほぼ直交する方向に試料液Ｓ１を噴霧し、その噴霧流はほぼ円錐形状に広がりながら進行する。その進行の過程で上述したように試料イオンが生成され、イオンは液滴が入り混じった状態で脱溶媒管８に吸い込まれる。
【００２３】
（２）ＭＡＬＤＩイオン源（図２（ｂ）参照）
レーザ光源５としては例えば波長３３７ｎｍの窒素レーザが用いられ、例えば４ｎｍのパルス幅で約１０Ｈｚの周期でパルス状にレーザ光がサンプルプレート３上の試料Ｓ２に照射される。また、サンプルプレート３と脱溶媒管８の入口との間には数ｋＶ程度の直流高電圧が印加される。レーザ光が試料Ｓ２に当たると、試料Ｓ２からプルームが爆発的に発生し、殆どのプルームはサンプルプレート３から垂直方向に進み、この中で光化学、熱化学的な反応により試料成分がイオン化される（但し、このイオン化のメカニズムは未解明の部分が多い）。プルームには、サンプルプレート３から飛散した試料、マトリクス、熱化学的に発生したクラスター、イオンなどが混在している。このプルームに対して、乾燥ガス管８１から噴き出した高温の乾燥ガスが周囲を取り囲むように当たるため、プルーム内ではイオン化が促進され、且つプルームの広がりが抑制されて脱溶媒管８へ進行する指向性が高まる。そして、脱溶媒管８に吸い込まれる。
【００２４】
上記のようにイオン化室１内で発生したイオンは、主としてイオン化室１と第１中間真空室９との差圧により脱溶媒管８中に引き込まれる。脱溶媒管８は適度な温度に加熱されており、ＥＳＩの場合、この脱溶媒管８の内部でも微細液滴中の溶媒の気化によるイオン化が促進される。第１イオンレンズ１０は、その電場により脱溶媒管８を介してのイオンの引き込みを助けるとともに、イオンをスキマー１１の通過孔近傍に収束させる。スキマー１１の通過孔を通って第２中間真空室１２に導入されたイオンは、第２イオンレンズ１３により収束及び加速された後に質量分析室１４へと送られる。質量分析室１４では、印加電圧に依存する特定の質量数を有するイオンのみが四重極質量フィルタ１５の長軸方向の空間を通り抜け、検出器１６に到達しイオン電流として検出される。
【００２５】
本実施例の構成では、ＥＳＩイオン源とＭＡＬＤＩイオン源とが併設されており、後段にイオンを輸送する脱溶媒管８は共通であるため、原理的には、同一試料に由来する試料液Ｓ１及び試料Ｓ２を対象として両イオン源を同時に動作させ、ＥＳＩイオン源により発生したイオンとＭＡＬＤＩイオン源により発生したイオンとが混在した状態で、このイオンを質量分析室１４に導入して質量分析することができる。但し、実際には、両イオン源を同時に駆動した場合に、例えばイオン化室１内の電場などが乱れ、必ずしも各イオン源でのイオン化効率を共に最良にすることは難しい。そこで、実際には両イオン源を同時には動作させず、時分割で駆動することが望ましい。以下に、そうした本実施例の質量分析装置における分析動作の一例を説明する。
【００２６】
図３は或る１つの試料を分析する際の分析タイミングを示す模式図である。ＥＳＩイオン源でイオン化する試料液Ｓ１とＭＡＬＤＩイオン源でイオン化する試料Ｓ２とは基本的に同一の検体に由来するものとし、前者としては例えば予め液体クロマトグラフで成分分離して分取したものを用意し、後者としてはその試料液をＭＡＬＤＩ用に調製してサンプルプレート３上に固定化したものを用意する。分析が開始されると、制御部２０は、ＭＡＬＤＩイオン源によるイオン化を実行する期間ｔａとＥＳＩイオン源によるイオン化を実行する期間ｔｂとを交互に切り替えるように各部を制御する。期間ｔａ、ｔｂの長さは各部の印加電圧の切り替え可能時間などに応じて適宜に決めればよい。また、四重極質量フィルタ１５に対しては、分析対象の成分に由来する多価イオン（例えば１０価）に対応した低い質量数から１価イオンに対応した高い質量数の範囲までの広い質量数範囲を走査するように電圧を掃引し、データの積算が可能であるようにこの掃引を繰り返す。
【００２７】
上記のようにイオン源の動作を切り替えながら質量分析を行う場合、検出器１６にはそれぞれのイオン源で生成されたイオンが到達する。即ち、期間ｔａには主として１価イオンが検出器１６に到達し、期間ｔｂには１価イオンは少なく多価イオンが多く検出器１６に到達する。そこで、データ処理部２１では、両期間ｔａ、ｔｂでそれぞれ得られた検出データを元に相対的に低い質量数範囲でのマススペクトルと相対的に高い質量数範囲でのマススペクトルとを作成し、それらを合成することにより図４に示すような広い質量数範囲のマススペクトルを作成する。このマススペクトルには同一試料成分に由来する１価イオンから多価イオンまでの各ピークが幅広く含まれるので、これに基づいて構造解析を行うことにより、分析対象の試料成分の組成や構造を容易に解析することが可能となる。特に、同一試料成分に対するＥＳＩイオン化とＭＡＬＤＩイオン化とが時間的にきわめて近いタイミングで実行されるため、質量分析の際の各部の温度条件、真空度などの分析環境条件が殆ど同一であり、高い精度での分析が可能となる。
【００２８】
また、上述したような短い時間でＥＳＩイオン源の動作とＭＡＬＤＩイオン源の動作とを切り替える以外に、例えば、一方のイオン源を用いた質量分析を終了した後に引き続いて他方のイオン源を用いた質量分析を実行するようにしてもよい。その場合でも、従来の装置とは異なり、イオン源を交換する手間が不要であるのはもちろんのこと、質量分析装置の動作を停止することなく引き続き質量分析が行えるので、例えば第１中間真空室９より後段の真空状態を解除する必要もない。したがって、分析をきわめて効率良く行うことができ、分析環境条件も揃えることができるので分析精度を高めることができる。
【００２９】
また、上記実施例はＥＳＩイオン源の動作とＭＡＬＤＩイオン源の動作とを切り替えるようにしていたが、ＥＳＩイオン源の動作とＭＡＬＤＩイオン源の動作とを同時に実行するようにしてもよい。その場合には、ＥＳＩイオン源においてノズル２１からイオン化室１内に噴霧された微小な帯電液滴に、ＭＡＬＤＩイオン源のレーザ光源５から出射されたレーザ光が当たることになる。これにより帯電液滴中の溶媒の気化は一層促進され、ＥＳＩイオン源による単独の動作の場合に比べて、液滴からの気体イオンの生成を良好にすることができる。
【００３０】
また上記実施例ではイオン化インタフェイスがＥＳＩである場合について説明したが、ＡＰＣＩについても同様の制御を適用することができる。但し、ＡＰＣＩの場合にはＥＳＩほどには多価イオンが発生しにくいので、ＭＡＬＤＩイオン源との併用の効果の点ではＥＳＩのほうが好ましい。
【００３１】
なお、上記実施例は本発明の一例であり、本発明の趣旨の範囲で適宜変形、修正及び追加を行っても本願特許請求の範囲に包含されることは明らかである。
【図面の簡単な説明】
【００３２】
【図１】本発明の質量分析装置の一実施例の概略構成図。
【図２】本実施例の質量分析装置におけるイオン化部の拡大図。
【図３】本実施例の質量分析装置を用いた分析動作の一例を説明するためのタイミング図。
【図４】本実施例の質量分析装置を用いた分析動作の一例を説明するためのマススペクトル。
【符号の説明】
【００３３】
１…イオン化室
２…イオン化プローブ
２１…ノズル
２２…ネブライズガス管
３…サンプルプレート
４…ステージ移動機構
５…レーザ光源
６…ミラー
７…ドレイン
８…脱溶媒管
８１…乾燥ガス管
９…第１中間真空室
１０…第１イオンレンズ
１１…スキマー
１２…第２中間真空室
１３…第２イオンレンズ
１４…質量分析室
１５…四重極質量フィルタ
１６…検出器
２０…制御部
２１…データ処理部
【図１】
2006190526.tif 000003
【図２】
2006190526.tif 000004
【図３】
2006190526.tif 000005
【図４】
2006190526.tif 000006